(57)【特許請求の範囲】
【請求項１】
店舗内ＰＯＳシステムによって、店舗内で購入したコンタクトレンズの代金清算を行うコンタクトレンズ店舗内販売システムであって、
会員固有の情報を入力する入力手段と、会員が購入した履歴がある商品を表示する表示手段とを含む、少なくとも一つの購入端末，
購入履歴を含む会員毎の顧客データを、商品が収納されている棚の位置を示す棚番号とともに蓄積したデータベース，
前記入力手段によって入力された会員の購入履歴情報を前記データベースから読み出して前記表示手段に表示するとともに、該表示手段を参照して会員が選択した商品を、その棚番号とともに、前記店舗内ＰＯＳシステムに表示する販売管理サーバ，
を備えており、
前記購入端末及び前記販売管理サーバを、前記店舗内ＰＯＳシステムが設置された店舗と同一の店舗内に設置するとともに、前記会員が選択した商品の在庫があるときは、該当する棚番号の棚から取り出して当該商品を会員に渡すとともに、前記店舗内ＰＯＳシステムによる代金清算を行うことを特徴とするコンタクトレンズ店舗内販売システム。
【請求項２】
前記購入端末の前記入力手段は、携帯電話又はスマートフォンに前記会員固有の情報と
しての機能を持たせ、店舗に訪れた会員の前記携帯電話又は前記スマートフォンの画面上
に表示した二次元コードを読み取る読取装置であり、前記表示手段はタッチパネルである
ことを特徴とする請求項１記載のコンタクトレンズ店舗内販売システム。
【請求項３】
前記データベースは、会員に対する案内データを蓄積しており、
前記販売管理サーバは、前記案内データを参照し、会員による前記購入端末の操作状況
に対応して、会員を誘導する案内表示を前記購入端末の表示手段に行うことを特徴とする
請求項１記載のコンタクトレンズ店舗内販売システム。
【発明の詳細な説明】
【技術分野】
【０００１】
本発明は、コンタクトレンズ店舗内販売システムに関し、具体的には、購入履歴のある既購入者が店舗内でコンタクトレンズを購入する際におけるシステムの改良に関する。
【背景技術】
【０００２】
コンタクトレンズを購入する際、通常は、眼科で検査を受けて医師の処方箋を取得し、眼科に併設されている販売店等で購入することが多いが、２回目以降は、目の状況に問題がない場合に限り、前回と同様のレンズを眼科診察や度数調整を実施することなく購入できることから、インターネットや自動販売機を利用することもある。
【０００３】
ところが、インターネットによる方法では、販売自体に処方箋は義務付けられていないため、処方箋や処方有効期限を無視した販売が行われることもあり、目に障害がでていても気付きにくく、また、商品入手までに多少時間がかかる。これに対し、自動販売機による方法では、その場で商品を入手できるといった利点がある。例えば、下記特許文献１には、自動販売機を利用したコンタクトレンズの販売システムが開示されている。しかしながら、この方法では、コンタクトレンズの種類が多岐にわたるため、多数の利用者の要望に対応するためには、多種類のレンズを用意する必要があり、自動販売機が大型化してしまう。
【先行技術文献】
【特許文献】
【０００４】
【特許文献１】特許第４７９０５５７号公報
【発明の概要】
【発明が解決しようとする課題】
【０００５】
一方、店舗で販売する場合は、多種類の商品の在庫が確保されているので、その場で商品を受け取ることができるとともに、店舗スタッフと相談したり、隣接する眼科で検査を受けるなど、より適切な商品購入が可能となる。ところが、週末や祝祭日などは大変混雑するため、店舗スタッフは必ずしも顧客の要望に十分応えることができない。
【０００６】
本発明は、かかる点に着目したもので、その目的は、販売手順を簡潔化して店舗におけるコンタクトレンズ販売の利便性を高めることである。他の目的は、間違った種類のコンタクトレンズを購入することがないようにすることである。更に他の目的は、眼科検診に対する注意を促してコンタクトレンズ使用の安全性の向上を図ることである。
【課題を解決するための手段】
【０００７】
本発明は、店舗内ＰＯＳシステムによって、店舗内で購入したコンタクトレンズの代金清算を行うコンタクトレンズ店舗内販売システムであって、会員固有の情報を入力する入力手段と、会員が購入した履歴がある商品を表示する表示手段とを含む、少なくとも一つの購入端末，購入履歴を含む会員毎の顧客データを、商品が収納されている棚の位置を示す棚番号とともに蓄積したデータベース，前記入力手段によって入力された会員の購入履歴情報を前記データベースから読み出して前記表示手段に表示するとともに、該表示手段を参照して会員が選択した商品を、その棚番号とともに、前記店舗内ＰＯＳシステムに表示する販売管理サーバ，を備えており、前記購入端末及び前記販売管理サーバを、前記店舗内ＰＯＳシステムが設置された店舗と同一の店舗内に設置するとともに、前記会員が選択した商品の在庫があるときは、該当する棚番号の棚から取り出して当該商品を会員に渡すとともに、前記店舗内ＰＯＳシステムによる代金清算を行うことを特徴とする。
【０００８】
主要な形態の一つによれば、前記購入端末の前記入力手段は、携帯電話又はスマートフォンに前記会員固有の情報としての機能を持たせ、店舗に訪れた会員の前記携帯電話又は前記スマートフォンの画面上に表示した二次元コードを読み取る読取装置であり、前記表示手段はタッチパネルであることを特徴とする。他の形態によれば、前記データベースの顧客データには、眼科受診状況の情報が含まれており、前記販売管理サーバは、前記顧客データを参照して、該当する会員の眼科受診状況を確認し、その結果を前記購入端末の表示手段に表示することを特徴とする。更に他の形態によれば、前記データベースは、商品の在庫状況に関する商品データを蓄積しており、前記販売管理サーバは、前記商品データを参照して、会員によって選択された商品の在庫状況を確認し、その結果を前記購入端末の表示手段に表示することを特徴とする。更に他の形態によれば、前記データベースは、会員に対する案内データを蓄積しており、前記販売管理サーバは、前記案内データを参照し、会員による前記購入端末の操作状況に対応して、会員を誘導する案内表示を、前記購入端末の表示手段に行うことを特徴とする。本発明の前記及び他の目的，特徴，利点は、以下の詳細な説明及び添付図面から明瞭になろう。
【発明の効果】
【０００９】
本発明によれば、会員は、店舗内に設置された購入端末において二次元コードなどの会員固有の情報を入力し、表示された購入履歴を参照して商品を選択するとともに、棚番号を参照して取り出された商品を、当該店舗内において受け取って、店舗内ＰＯＳシステムで代金清算を行うようにしたので、販売手順が簡潔化され、店舗内におけるコンタクトレンズ販売の利便性が向上し、間違った種類のコンタクトレンズの購入も防止される。
【図面の簡単な説明】
【００１０】
【図１】本発明の実施例１の全体構成を示すブロック図である。
【図２】前記実施例におけるデータの一例及び画面の一例を示す図である。(A)は顧客データの一例を示す。(B)は商品データの一例を示す。(C)は購入端末４００のタッチパネル４０４における表示例を示す。(D)は店舗内ＰＯＳシステムの注文ディスプレイ３０２とＰＯＳレジスタ３０４における表示例を示す。
【図３】前記実施例の全体の動作手順を示す説明図である。
【発明を実施するための形態】
【００１１】
以下、本発明を実施するための形態を、実施例に基づいて詳細に説明する。
【実施例１】
【００１２】
図１には、本実施例の全体の構成が示されている。同図において、店舗販売システム１０は、店舗内サーバ１００を中心に構成されており、ハブ１２を介して、データベース２００，店舗内ＰＯＳ（point of sale）システム３００，購入端末４００がそれぞれ接続されている。ハブ１２は、有線で各部を接続してもよいし、無線で接続するようにしてもよい。
【００１３】
店舗内サーバ１００は、一般的なサーバーコンピュータによって構成されており、ＣＰＵ１０２，プログラムメモリ１１０，データメモリ１２０を備えている。プログラムメモリ１１０には、注文処理プログラム１１１，在庫処理プログラム１１２，眼科受診確認プログラム１１３，案内表示プログラム１１４が用意されており、これらはＣＰＵ１０２で実行されるようになっている。案内表示プログラム１１４については、実施例２で説明する。データメモリ１２０には、前記各プログラムが実行されて得られる会員情報１２１，在庫情報１２２，受診経過情報１２３が保存されるようになっている。
【００１４】
データベース２００には、顧客データ２０２，商品データ２０４，案内データ２０６が集積されている。案内データ２０６については、実施例２で説明する。店舗内ＰＯＳシステム３００は、注文ディスプレイ３０２とＰＯＳレジスタ３０４を備えている。購入端末４００は、二次元コードリーダー４０２とタッチパネル４０４によって構成されている。
【００１５】
これらのうち、データベース２００は、店舗内もしくは本社内に設置されており、本社内に設置されたときは、インターネットなどによって各店舗に接続される。データベース２００の顧客データ２０２には、例えば図２(A)に示すように、会員番号，氏名，電話番号，生年月日，眼科受診日，購入履歴などが含まれている。商品データ２０４には、図２(B)に示すように、商品名，在庫数，当該商品が収納されている棚の位置を示す棚番号などが含まれている。棚番号は、数字，アルファベットなど各種の表記としてよい。
【００１６】
購入端末４００は、例えばタブレットパソコンによって構成されており、二次元コードリーダー４０２が有線もしくは無線でタッチパネル４０４に接続されている。二次元コードリーダー４０２は、会員が所持する携帯電話やスマートフォン，あるいは会員証などに表示された二次元コードを読み取るためのものである。タッチパネル４０４は、二次元コードを読み取った会員の購入履歴等を表示するためのもので、これを参照しながら、会員は購入する商品を選択する。図２(C)には、タッチパネル４０４における表示例が示されており、会員番号，氏名，前回眼科受診からの経過日数，購入履歴のある商品，在庫がない場合のメーカー直送表示などが表示されている。
【００１７】
店舗内ＰＯＳシステム３００の注文ディスプレイ３０２は、購入端末４００によって会員が購入を希望した商品を順番に表示するためのもので、これを参照しながら店舗スタッフは商品を棚から取り出す。図２(D)には、注文ディスプレイ３０２の表示例が示されており、会員番号，氏名，前記購入端末４００で会員が選択した購入商品，その個数，当該商品が収容されている店舗内の棚番号が、申込した順番に表示されている。ＰＯＳレジスタ３０４は、顧客と店舗が商品の引き渡しと清算するためのものである。ＰＯＳレジスタ３０４にも、注文ディスプレイ３０２と同様の表示が行われるので、注文ディスプレイ３０２は必要に応じて設ければよい。また、店舗が広いときは、必要に応じて注文ディスプレイ３０２を複数設けるようにする。
【００１８】
次に、店舗内サーバ１００の注文処理プログラム１１１は、前記購入端末４００の二次元コードリーダー４０２で読み取った会員番号に基づいて、図２(A)に示したデータベース２００の顧客データ２０２を参照し、該当する会員の図２(C)に示した購入履歴等の会員情報１２１を購入端末４００のタッチパネル４０４に表示する機能を備えている。在庫処理プログラム１１２は、前記注文処理プログラム１１１の指示に基づいて図２(B)に示した商品データ２０４を参照し、該当する会員の前記購入履歴に該当する商品の在庫の有無や棚番号を確認して在庫情報１２２を得る機能を備えている。眼科受診確認プログラム１１３は、前記注文処理プログラム１１１の指示に基づいて前記会員情報１２１を参照し、当該会員の眼科受診日からの経過日数を確認して受診経過情報１２３を得る機能を備えている。
【００１９】
次に、図３を参照しながら、本実施例の全体動作を説明する。会員には、登録時に会員番号が付与され、この会員番号の他に、コンタクトレンズを購入した店舗を示す店舗コードなどの適宜の情報を付加した二次元コードが付与される。二次元コードは、携帯電話やスマートフォンに表示されたり、会員証に表示される。コンタクトレンズを購入するために店舗に訪れた会員は、携帯電話等や会員証に表示された二次元コードを、購入端末４００の二次元コードリーダー４０２にかざす。すると、二次元コードリーダー４０２で二次元コードが読み取られ（ステップＳ１０）、会員番号等が店舗内サーバ１００に送信される（ステップＳ１２）。
【００２０】
店舗内サーバ１００では、注文処理プログラム１１１がＣＰＵ１０２で実行されており、受信した会員番号等の情報に基づいて、データベース２００の顧客データ２０２が参照され、該当する会員情報１２１が読み込まれる（ステップＳ１４）。会員情報１２１は、データメモリ１２０に保存される。
【００２１】
次に、注文処理プログラム１１１は、在庫処理プログラム１１２の実行を指示し、当該プログラム１０４がＣＰＵ１０２で実行される。これにより、前記会員情報１２１に含まれている購入履歴から該当する商品の在庫状況が確認される（ステップＳ１６）。すなわち、データベース２００の商品データ２０４を参照し、該当する商品の在庫の有無，在庫があるときは収納されている棚の番号のデータを在庫情報１２２を取得する。在庫情報１２２は、データメモリ１２０に保存される。
【００２２】
次に、注文処理プログラム１１１は、眼科受診確認プログラム１１３の実行を指示し、当該プログラム１０６がＣＰＵ１０２で実行される。これにより、前記会員情報１２１に含まれている眼科受診日からの経過日数がチェックされ（ステップＳ１８）、受診経過情報１２３としてデータメモリ１２０に保存される。
【００２３】
注文処理プログラム１１１は、以上のようにして取得した会員情報１２１，在庫情報１２２，受診経過情報１２３の各情報を購入端末４００のタッチパネル４０４に送信する（ステップＳ２０）。タッチパネル４０４では、受信した情報が、図２(C)に示したように表示される（ステップＳ２２）。会員は、タッチパネル４０４を操作して、購入したい商品の種類や個数（コンタクトレンズとその箱数）を選択する（ステップＳ２４）。なお、在庫がない商品については、「メーカーから直送」と表示されるので、これらも確認しながら商品を選択することができる。
加えて、会員は、眼科受診経過日数から次回の眼科受診の予定を知ることができる。会員によって選択された商品情報は、店舗内ＰＯＳシステム３００に送信される（ステップＳ２６）。
【００２４】
店舗内ＰＯＳシステム３００では、図２(D)に示したように、受信した商品情報を注文ディスプレイ３０２及びＰＯＳレジスタ３０４に、注文した順に表示する（ステップＳ２８）。店舗スタッフは、注文ディスプレイ３０２を参照し、注文があった商品を該当する棚番号の棚から取り出してＰＯＳレジスタ３０４に進み、会員から代金を受け取るとともに、商品を会員に渡して清算する（ステップＳ３０）。清算が終了すると、その旨が店舗内サーバ１００に送信される（ステップＳ３２）。店舗内サーバ１００では、注文処理プログラム１１１により、該当する顧客データ２０２の購入履歴が追加更新されるとともに、商品データ２０４の在庫数が減算される。なお、利用者が在庫のない商品を選択したときは、店舗スタッフが発注処理を行うようにしてもよいし、在庫処理プログラム１１２によって発注処理を行うようにしてもよい。
【００２５】
以上のように、本実施例によれば、携帯電話やスマートフォンに会員証としての機能を持たせ、画面上に表示した二次元コードを店舗内の端末で読み取るとともに、商品の購入履歴を表示して商品の種類や個数を選択し、店舗内で代金を支払って商品を受けることとしたので、会員は店舗の混み具合に影響されることなく、順番に商品を購入することができ、店舗販売の利便性を高めることができる。すなわち、店舗スタッフと対面で商品を購入する場合と比較して、会員の待ち時間の短縮を図ることができ、店舗スタッフの繁忙状況も改善することができる。更に、自動販売機と比較して、レンズの種類や在庫数を豊富に用意することができ、大多数の会員の購入希望を満たすことができる。
【００２６】
また、購入端末によって商品の種類や個数を指定することとしたので、会員は店舗スタッフに伝える必要がない。このため、コミュニケーションが不得意な会員にとっては、店舗購入に対するプレッシャーが低減されて来店に対する敷居が下がるようになる。購入履歴を参照して商品を選択するので、間違った商品を購入してしまうといった不都合が防止され、コンタクトレンズの使用期間に合わせた購入が促進される。更に、眼科受診経過日数を表示することとしたので、眼科検診に対する注意が促されるとともに、必要があれば眼科検診を受けることができ、適切なレンズを使用することで安全性も向上する。
【実施例２】
【００２７】
次に、本発明の実施例２について説明する。本実施例では、案内表示プログラム１１４が店舗内サーバ１００のＣＰＵ１０２で実行され、データベース２００の案内データ２０６が適宜読み出されて、購入端末４００のタッチパネル４０４に表示され、あるいは音声が出力される。例えば、以下のとおりである。
ａ，会員が来店したとき：「携帯電話に二次元コードを表示し、リーダーにかざしてください。」
ｂ，会員が携帯電話等を二次元コードリーダー４０２にかざしたとき：「只今二次元コードを読み取って、在庫を確認しています。しばらくお待ちください。」
ｃ，図２(C)の画面が表示されたとき：「ご希望の商品の種類と個数を選択してください。」
ｄ，会員が選択した商品がＰＯＳレジスタ３０４に用意できた時：「レジにお進みください。」
といった具合である。
【００２８】
このように、購入端末４００を案内にも利用することで、会員による購入処理や会員の店舗内における移動をより円滑に行うことができる。
【００２９】
なお、本発明は、上述した実施例に限定されるものではなく、本発明の要旨を逸脱しない範囲内において種々変更を加えることができる。例えば、以下のものも含まれる。
(1)前記実施例で示した各種情報や表示画面は一例であり、必要に応じて適宜変更してよい。システム構成も同様である。例えば、前記実施例では、店舗内にサーバやデータベースを設置したが、本店に設置し、各支店の購入端末や店舗内ＰＯＳシステムとネットワークで接続するようにしてもよい。
(2)購入端末４００のタッチパネル４０４上に店舗スタッフ呼び出し用のボタンを表示し、会員が必要に応じて店舗スタッフを呼び出すことができるようしてもよい。
(3) 前記実施例では、購入端末４００を、二次元コードリーダー４０２とタッチパネル４０４によって構成したが、タッチパネル４０４にカメラ機能を搭載し、これによって二次元コードを読み込むようにしてもよい。また、前記実施例では二次元コードを利用したが、一次元のバーコードを利用してもよい。また、バーコードの代わりに会員番号やメールアドレスなどの会員を特定できるような固有の情報を入力するようにしてもよい。
(4)本発明は、各種の商品に適用可能であるが、コンタクトレンズのように、過去に購入したことがある商品を再び購入するような場合に特に好適である。
【産業上の利用可能性】
【００３０】
本発明によれば、会員は、店舗内に設置された購入端末において二次元コードなどの会員固有の情報を入力し、表示された購入履歴を参照して商品を選択するとともに、棚番号を参照して取り出された商品を、当該店舗内において受け取って、店舗内ＰＯＳシステムで代金清算を行うようにしたので、販売手順が簡潔化され、店舗内におけるコンタクトレンズ販売の利便性が向上し、間違った種類のコンタクトレンズの購入も防止されるので、商品の販売手順が簡素化され、店舗内におけるコンタクトレンズの販売に好適である。
【符号の説明】
【００３１】
１０：店舗販売システム
１２：ハブ
１００：店舗内サーバ
１０４：プログラム
１０６：プログラム
１１０：プログラムメモリ
１１１：注文処理プログラム
１１２：在庫処理プログラム
１１３：眼科受診確認プログラム
１１４：案内表示プログラム
１２０：データメモリ
１２１：会員情報
１２２：在庫情報
１２３：受診経過情報
２００：データベース
２０２：顧客データ
２０４：商品データ
２０６：案内データ
３００：システム
３０２：注文ディスプレイ
３０４：レジスタ
４００：購入端末
４０２：二次元コードリーダー
４０４：タッチパネル
【図１】
0006510775.tif 000002
【図２】
0006510775.tif 000003
【図３】
0006510775.tif 000004